(57)【要約】【課題】部品点数を増やすことなく、ストラップ取付部に所定の引張り強度を確保し、ストラップの引っ張り動作に対するストラップ取付部の耐久性を向上させる。【解決手段】筐体（3）の側面に設けられた内方へ凹むストラップ用凹部（39）の内部に、ストラップ（S）が取り付けられる取付ピン（41）が設けられた構造を有するストラップ取付部（37）を備え、取付ピン（41）を、ストラップ（S）が引っ掛けられる被取付部（43）と、被取付部（43）と共にコ字状をなす補強部（45）とを備え、ストラップ取付部（37）に、ストラップ（S）が引っ張られたときに、取付ピン（41）の被取付部（43）及び補強部（45）をストラップ用凹部（39）の開口側で受ける受け面（67a,71a,73a）を設ける。【選択図】図４
2016076810.tif 000002
【特許請求の範囲】
【請求項１】
筐体の表面に開口し内方へ凹むストラップ用凹部の内部に、ストラップが取り付けられる取付ピンが設けられた構造を有するストラップ取付部を備えた携帯機器であって、
前記取付ピンは、前記ストラップが引っ掛けられる被取付部と、該被取付部と共にコ字状をなす補強部とを備え、
前記ストラップ取付部は、前記ストラップが引っ張られたときに、前記取付ピンの被取付部及び補強部を前記ストラップ用凹部の開口側で受ける荷重受け面を有する
ことを特徴とする携帯機器。
【請求項２】
請求項１に記載された携帯機器において、
前記ストラップ取付部は、前記ストラップ用凹部の内壁に形成された第１のピン嵌入孔と、前記ストラップ用凹部の周囲に形成された第２のピン嵌入孔とを有し、
前記取付ピンは、前記被取付部を前記第１のピン嵌入孔に嵌め込み、前記補強部を前記第２のピン嵌入孔に嵌め込むことで、前記ストラップ取付部に固定されている
ことを特徴とする携帯機器。
【請求項３】
請求項１又は２に記載された携帯機器において、
前記取付ピンの被取付部は、前記補強部との接続部分が該補強部との接続部分とは反対側の端部よりも前記ストラップ用凹部の開口側に位置するように傾倒した姿勢に設けられ、
前記ストラップ取付部は、前記取付ピンの補強部を前記被取付部に沿う方向で受ける荷重受け面をさらに有する
ことを特徴とする携帯機器。
【請求項４】
請求項１〜３のいずれか１項に記載された携帯機器において、
前記筐体は、前記取付ピンを収容するピン収容部を有するキャビネットと、該キャビネットの一方側を覆うカバーとを備え、
前記キャビネットのうち前記カバーで覆われる部分には、前記ピン収容部を開放し、前記取付ピンを引出し可能な引出し口が形成され、
前記引出し口を通して前記取付ピンが引き出されると、該取付ピンの被取付部のうち前記補強部とは反対側の端部と前記ストラップ用凹部の内壁との間に隙間が形成されるように構成されている
ことを特徴とする携帯機器。
【請求項５】
請求項１〜４のいずれか１項に記載された携帯機器において、
前記筐体は、前記取付ピンを収容するピン収容部を有するキャビネットを備え、
前記キャビネットは、表側キャビネットと裏側キャビネットとが環状の防水部材を挟み込んで組み合わせられた防水構造を有する
ことを特徴とする携帯機器。
【発明の詳細な説明】
【技術分野】
【０００１】
本発明は、ストラップ（吊紐）を取付け可能な携帯機器に関する。
【背景技術】
【０００２】
従来から、この種の携帯機器には、筐体の側面に内方へ凹むストラップ用凹部を設け、そのストラップ用凹部内にストラップが巻き掛けて取り付けられる取付ピンを備えたものが知られている。取付ピンとしては、真っ直ぐな円柱形状のピンが採用されている。この取付ピンは、その両端側をストラップ用凹部内に設けたピン孔にそれぞれ嵌入させることでストラップ用凹部内に固定される。
【０００３】
このようなストラップ取付部の構造を備えた携帯機器として、特許文献１には、保護緩衝カバーを筐体（ケース）に取り付けるためのカバー固定ねじを、ストラップ取付ピンとして用いた機器が開示されている。
【先行技術文献】
【特許文献】
【０００４】
【特許文献１】特開２００２−３５０９６７号公報
【発明の概要】
【発明が解決しようとする課題】
【０００５】
従来の携帯機器では、取付ピンに取り付けられたストラップが引っ張られたときに、取付ピンを受ける面がピン孔内面の一部に限られることから、そのときの荷重がピン孔内面の一部に集中してかかることになる。このため、携帯機器のストラップ取付部は、ストラップの引張り動作に対する耐久性に乏しい。
【０００６】
また、従来の携帯機器で用いられる真っ直ぐな円柱形状の取付ピンは、ストラップの引張りによる荷重に対し強度が比較的低く、このような取付ピンで十分な引張り強度を持つストラップ取付部を実現するのは難しい。
【０００７】
そこで、ストラップ取付部に取付ピンとは別部品を設けることで、ストラップ取付部における強度の向上とストラップの引張り動作に対する耐久性の向上とを図ることが考えられるが、そのようにすると、機器構造が複雑になり、且つ追加部品が必要なことからコストアップを招く。
【０００８】
本発明は、斯かる点に鑑みてなされたものであり、その目的とするところは、部品点数を増やすことなく、ストラップ取付部に所定の引張り強度を確保し、ストラップの引っ張り動作に対するストラップ取付部の耐久性を向上させることにある。
【課題を解決するための手段】
【０００９】
上記の目的を達成するために、この発明では、取付ピンに曲げ形状を採用し、且つストラップが引っ張られたときにストラップ取付部にかかる荷重が分散するように同取付部の構成を工夫した。
【００１０】
具体的には、本発明は、筐体に設けられた内方へ凹むストラップ用凹部の内部に、ストラップが取り付けられる取付ピンが設けられた構造を有するストラップ取付部を備えた携帯機器を対象とし、以下の解決手段を講じたものである。
【００１１】
すなわち、本発明は、取付ピンが、ストラップが引っ掛けられる被取付部と、この被取付部と共にコ字状をなす補強部とを備えた構成になっている。そして、本発明は、ストラップ取付部が、ストラップが引っ張られたときに、取付ピンの被取付部及び補強部をストラップ用凹部の開口側で受ける受け面を有することを特徴とする。
【００１２】
この構成によると、取付ピンの形状をコ字状にしたことからピン自体の強度を向上させることができる。そして、ストラップ取付部に、取付ピンの被取付部及び補強部の両部分をストラップ用凹部の開口側で受ける受け面を設けるようにしたので、ストラップが引っ張られたときにストラップ取付部での取付ピンを受ける面積が増大する。それによって、ストラップ取付部にかかる荷重が分散されるから、ストラップ取付部に生じる応力を低減することができる。
【発明の効果】
【００１３】
したがって、本発明によれば、部品点数を増やすことなく、ストラップ取付部に所定の引張り強度を確保し、ストラップの引張り動作に対するストラップ取付部の耐久性を向上させることができる。
【図面の簡単な説明】
【００１４】
【図１】本発明の実施形態１に係る携帯電話機の背面斜視図である。
【図２】本発明の実施形態１に係る携帯電話機の分解斜視図である。
【図３】本発明の実施形態１に係る携帯電話機の筐体を構成する表側キャビネットと取付ピンとを示す要部の分解斜視図である。
【図４】図３のIV−IV線に相当する箇所における携帯電話機の断面図である。
【図５】本発明の実施形態２に係る携帯電話機の図４相当図である。
【図６】本発明の実施形態３に係る携帯電話機の要部側面図である。
【図７】本発明の実施形態３に係る携帯電話機の要部断面図である。
【図８】本発明の実施形態４に係る携帯電話機のリヤカバーを取り外した状態での背面図とその要部拡大図である。
【図９】図８のIX−IX線に相当する箇所における携帯電話機の断面図である。
【図１０】本発明の実施形態４に係る携帯電話機でのストラップを取付ける際の様子を示す断面図である。
【図１１】本発明の実施形態５に係る携帯電話機の表側キャビネットの要部背面を右上側から示す斜視図である。
【図１２】本発明の実施形態５に係る携帯電話機の表側キャビネットの要部背面を左下側から示す斜視図である。
【図１３】本発明の実施形態５に係る携帯電話機のリヤカバーを取り外した状態での要部斜視図である。
【図１４】本発明の実施形態５に係る携帯電話機のリヤカバーを取り外した状態での要部背面図である。
【発明を実施するための形態】
【００１５】
以下、本発明に係る実施形態を図面に基づいて詳細に説明する。なお、以下の実施形態は、本質的に好ましい例示であって、本発明、その適用物、或いはその用途の範囲を制限することを意図するものではない。
【００１６】
また、以下の実施形態では、説明の便宜上、携帯電話機について、表示パネルの正面側を「前」、背面側を「後」と称し、上下方向における上側を「上」、下側を「下」と称し、表示パネルを正面側から見たときの左右方向における左側を「左」、右側を「右」と称する。
【００１７】
《発明の実施形態１》
図１は、この実施形態１に係る携帯電話機１を後側から見た斜視図である。図２は、この携帯電話機１の分解斜視図である。携帯電話機１は、図１及び図２に示すストレートタイプのスマートフォンと呼ばれる薄型の携帯機器であり、詳しくは図示しないが、正面視で略長方形状の扁平な筐体３内に、スピーカやマイク、カメラユニット５、カードコネクタ７、電池パック９、これらの動作を制御する回路基板１１などの複数の電子部品を収容した構造を有する。
【００１８】
筐体３は、図２に示すように、上記複数の電子部品を収容するキャビネット１２と、このキャビネット１２の後側に取り付けられるリヤカバー１９とを備える。キャビネット１２は、画像表示を行う表示パネル１３（図４参照）が前側に収容される表側キャビネット１５と、この表側キャビネット１５の後側に取り付けられて表側キャビネット１５とリヤカバー１９との間に位置する裏側キャビネット１７で構成されている。表示パネル１３は、タッチパネル付きのものであって、携帯電話機１のユーザーインターフェイスを構成している。
【００１９】
表側キャビネット１５は、略長方形枠状の樹脂製フレーム部２１を有し、このフレーム部２１の内側開口を塞ぐように剛性部材としてのステンレス鋼板などの金属板２３がインサート成形されてなる。この表側キャビネット１５の外周縁部を構成するフレーム部２１には、後方へ壁状に突出した前側周壁部２５が設けられている。この前側周壁部２５の外周面には、図示しないが、外側へ突出する複数の係止爪が周方向に間隔をあけて設けられている。
【００２０】
裏側キャビネット１７は、背面視で表側キャビネット１５に対応する外形を有した樹脂成形品である。この裏側キャビネット１７の外周縁部には、前方へ壁状に突出した後側周壁部２７が前側周壁部２５の外側に沿って延びるように設けられている。この後側周壁部２７のうち前側周壁部２５の各係止爪に対応する部分には、図示しないが、当該係止爪が嵌め入れられる係止孔が形成されている。そして、裏側キャビネット１７は、これら各係止孔に前側周壁部２５の係止爪を嵌め入れることで、表側キャビネット１５に取り付けられている。
【００２１】
また、表側キャビネット１５のうち前側周壁部２５に沿う同キャビネット１５の四隅を含む内側部分には、ビス２９をねじ込むための固定孔を有する取付ボス３１が後方に突出させて複数（図２に示す例では９つ）設けられている。他方、裏側キャビネット１７のうちこれら各取付ボス３１に対応する箇所には、ビス２９を挿通させる挿通孔３３が形成されている。そして、裏側キャビネット１７は、これら各挿通孔３３にビス２９を挿通させると共に、当該ビス２９を対応する取付ボス３１の固定孔にねじ込むことにより、表側キャビネット１５にビス留めされている。
【００２２】
本実施形態のキャビネット１２は、これら表側キャビネット１５と裏側キャビネット１７とが防水部材である環状の防水パッキン８１を挟み込んで組み合わせられた防水構造を有する（図４参照）。防水パッキン８１は、キャビネット１２の外周部で表側キャビネット１５の前側周壁部２５の先端面と裏側キャビネット１７との間に挟み込まれて若干押し潰された状態に設けられている。
【００２３】
リヤカバー１９は、背面視で表側キャビネット１５に対応する外形を有する浅い略長方形皿状の樹脂成形品である。このリヤカバー１９の外周縁部にある前方へ湾曲した周壁部２０には、図示しないが、当該リヤカバー１９の内方又は前方に突出した複数の係止爪が設けられている。リヤカバー１９は、これら係止爪を裏側キャビネット１７に設けられた係合孔（不図示）に係合させることで、裏側キャビネット１７に取り付けられている。
【００２４】
なお、裏側キャビネット１７は、前側周壁部２５の係止爪による取付けだけで表側キャビネット１５に固定されていてもよいし、ビス留めだけで表側キャビネット１５に固定されていても構わない。また、前側周壁部２５と後側周壁部２７とは、前後方向においてオーバーラップしていてもよいし、両面テープや接着剤などの接合材で貼り合わせられていてもよい。また、リヤカバー１９は、上記のような係止爪による取付けに代えて又はこれと併せて、両面テープや接着剤などの接合材で裏側キャビネット１７に接合されていてもよく、裏側キャビネット１７でなく表側キャビネット１５に取り付けられていても構わない。
【００２５】
そして、携帯電話機１は、図１に示すように、ストラップＳを取付け可能なストラップ取付部３７を下端寄りの側面（図１に示す例では左側面）部分に備えている。このストラップ取付部３７は、筐体３の側面に開口し内方へ凹むストラップ用凹部３９の内部に、ストラップＳが巻き掛けて取り付けられる金属製の取付ピン４１が設けられた構造を有する。
【００２６】
図３は、表側キャビネット１５と取付ピン４１とを示す分解斜視図である。図４は、図３のIV−IV線に相当する箇所における携帯電話機１の断面図である。取付ピン４１は、図３及び図４に示すように、ストラップＳが引っ掛けられる被取付部４３と、当該取付ピン４１の強度を補強する補強部４５とが一体に形成されてなり、全体としてコ字状の曲げ形状を有する。
【００２７】
取付ピン４１の被取付部４３は、真っ直ぐな円柱形状に形成されている。取付ピン４１の補強部４５は、この被取付部４３の一端から当該被取付部４３と直角をなす方向に延びる第１線状部４５ａと、この第１線状部４５ａの先端、つまり被取付部４３とは反対側の端から被取付部４３と平行に延びる第２線状部４５ｂとで構成されていて、被取付部４３の一端から折り返されたＬ字状に形成されている。このように取付ピン４１の形状に曲げ形状を採用することで、ピン４１自体の強度を向上させることができる。
【００２８】
ストラップ取付部３７は、表側キャビネット１５のフレーム部２１における前側周壁部２５の外側一角に一体に設けられた概ねボックス状のホルダ部４７と、裏側キャビネット１７及びリヤカバー１９のうちこのホルダ部４７を覆う部分とで構成されている。ホルダ部４７は、ストラップ用凹部３９の主体をなし、キャビネット１２の左右方向における外方に開口した、例えば縦長に延びる長方形状の挿入口５１を有する。
【００２９】
裏側キャビネット１７の後側周壁部２７には、図２に示すように、このホルダ部４７と嵌合する切欠部７７が形成されている。リヤカバー１９の周壁部２０のうちホルダ部４７の挿入口５１に対応する部分には、ストラップＳが挿通される縦長の略長円形状の挿通孔７９が形成されている。この挿通口７９は、ストラップ用凹部３９の開口を形成している。すなわち、本実施形態のストラップ用凹部３９は、表側キャビネット１５のホルダ部４７の内面とリヤカバー１９の挿通孔７９とで構成されている。
【００３０】
ホルダ部４７は、図３及び図４に示すように、挿入口５１を基準とした奥行き方向における奥側突き当たりを構成する奥側壁５３と、この奥側壁５３の上下両端から互いに対向して挿入口５１まで延びる上側壁５５及び下側壁５７と、これら奥側壁５３、上側壁５５及び下側壁５７の各前端を繋ぐ前側壁５９と、奥側壁５３、上側壁５５及び下側壁５７の各後端を繋ぐ後側壁６１とを有する。挿入口５１は、上側壁５５、下側壁５７、前側壁５９及び後側壁６１の側端縁で囲まれて形成されている。
【００３１】
ホルダ部４７の奥側壁５３のうち挿入口５１側に臨む面は、上下方向に真っ直ぐ延びる平坦面に形成されている。そして、ホルダ部４７の上側壁５５及び下側壁５７の対向面は、図示しないが、挿入口５１からホルダ部４７の奥側、つまり奥側壁５３側に向かうに連れて互いに近づくように湾曲する湾曲面を有している。これにより、挿入口５１の上下一方側（例えば上側）から挿入されたストラップＳの先端部は、ストラップＳをホルダ部４７に差し込んでいくに従い、ホルダ部４７の内面に案内されてスムーズに折り返され、挿入口５１の上下他方側（例えば下側）から出てくるようになっている。
【００３２】
ホルダ部４７の後側壁６１には、ホルダ部４７の内部を後方に開放する矩形状の後側開口６３が奥側壁５３側の部分に形成されている。ホルダ部４７の後側壁６１は、この後側開口６３よりも挿入口５１側に、当該ホルダ部４７の上側壁５５と下側壁５７との間で挿入口５１の周縁部を形成する梁状部分６５を有する。
【００３３】
この梁状部分６５の上下方向における中程には、ホルダ部４７の奥側壁５３に向かって開口し且つ前後方向に延びる半円状の切欠部６７が形成されている。この切欠部６７は、取付ピン４１の直径よりもやや大きな丸孔や小判状の孔であってもよい。ホルダ部４７の奥側壁５３の後面のうち梁状部分６５の切欠部６７の側方（右方）に対応する部分には、後方に開口し且つ後側開口６３に連通する、断面半円形状の凹状湾曲面を有する受け溝６９が形成されている。
【００３４】
さらに、ホルダ部４７の前側壁５９のうち前後方向において上記梁状部分６５の切欠部６７に対応する部分には、後方へ開口する円形の第１のピン嵌入孔７１が形成されている。また、ホルダ部４７の奥側壁５３のうち受け溝６９の後側開口６３とは反対側の部分には、後方へ開口する円形の第２のピン嵌入孔７３が形成されている。このように、ストラップ取付部３７は、取付ピン４１を固定するための第１及び第２のピン嵌入孔７１，７３を有している。
【００３５】
取付ピン４１の被取付部４３のうち補強部４５との接続部分とは反対側の端部（以下、「被取付部４３の先端部」という）は、第１のピン嵌入孔７１に嵌め込まれている。そして、この被取付部４３のうち補強部４５との接続部分は、上記梁状部分６５の切欠部６７に嵌め込まれている。また、取付ピン４１の補強部４５のうち第２線状部４５ｂは、第２のピン嵌入孔７３に嵌め込まれている。そのことで、取付ピン４１は、ホルダ部４７の奥側壁５３に跨がり、且つホルダ部４７内で被取付部４３の周囲にストラップＳを通す隙間ｄを有する状態で、ストラップ取付部３７に固定されている。
【００３６】
取付ピン４１の第１線状部４５ａの後部側は、このようにストラップ取付部３７に固定された状態で、ホルダ部４７の後側壁６１に設けられた後側開口６３から後方へ部分的に突出する。裏側キャビネット１７のうち上記後側壁６１の後側開口６３から第２のピン嵌入孔７３にかけての箇所に対応する部分には、湾曲凹状面を有する嵌め溝７５が設けられており、この嵌め溝７５に取付ピン４１の第１線状部４５ａの後部側が嵌まるようになっている。
【００３７】
上記ホルダ部４７のうち、第１のピン嵌入孔７１、梁状部分６５の切欠部６７、後側壁６１の後側開口６３、奥側壁５３の受け溝６９及び第２のピン嵌入孔７３と、裏側キャビネット１７の嵌め溝７５とは、取付ピン４１を収容するピン収容部７６を構成している。このように、ストラップ取付部３７は、表側キャビネット１５のホルダ部４７と裏側キャビネット１７のホルダ部４７に対応する部分との組合せにより構成されたピン収容部７６を有する。
【００３８】
そして、ホルダ部４７は、ストラップＳが引っ張られたときに、取付ピン４１の被取付部４３及び補強部４５の両部分を挿入口５１側、つまりストラップ用凹部３９の開口側で受ける荷重受け面６７ａ，７１ａ，７３ａを有する。具体的には、この荷重受け面６７ａ，７１ａ，７３ａは、第１のピン嵌入孔７１及び第２のピン嵌入孔７３の各内周面のうち挿入口５１側の面７１ａ，７３ａと、上記梁状部分６５の切欠部６７の内側面６７ａとである。この構成によれば、ストラップＳが引っ張られたときに、ホルダ部４７にかかる荷重、つまりはストラップ取付部３７にかかる荷重が分散されるから、ストラップ取付部３７に生じる応力を低減することができる。
【００３９】
したがって、この実施形態１に係る携帯電話機１によると、部品点数を増やすことなく、ストラップ取付部３７に所定の引張り強度を確保でき、ストラップＳの引張り動作に対するストラップ取付部３７の耐久性を向上させることができる。
【００４０】
《発明の実施形態２》
この実施形態２に係る携帯電話機１は、取付ピン４１の構成が上記実施形態１と異なる。なお、以降の各実施形態では、上記実施形態１と異なる構成についてのみ説明し、その他の構成については、図１〜図４に基づく上記実施形態１の説明に譲ることにして、その詳細な説明を省略する。
【００４１】
図５は、この実施形態２に係る携帯電話機１の図４相当図である。この実施形態２の取付ピン４１は、図５に示すように、被取付部４３をその先端部が第２線状部４５ｂ側に近づくように傾斜させた形状を有する。この取付ピン４１の被取付部４３は、補強部４５との接続部分が先端部よりもストラップ用凹部３９の開口側に位置するように傾倒した姿勢に設けられており、ストラップＳが引っ張られたときに、そのストラップＳを取付ピン４１の第１線状部４５ａ側に滑らせるようになっている。
【００４２】
そして、ストラップ取付部３７は、ストラップＳが滑って移動したときに、後方に押圧される前記取付ピン４１の補強部４５を被取付部４３に沿う方向で受ける荷重受け面７５ａをさらに有する。具体的には、この荷重受け面７５ａは、裏側キャビネット１７の嵌め溝７５の内面７５ａである。
【００４３】
この構成によれば、取付ピン４１に取り付けられたストラップＳが引っ張られると、第１のピン嵌入孔７１及び第２のピン嵌入孔７３の各内周面のうち挿入口５１側の面７１ａ，７３ａと、上記梁状部分６５の切欠部６７の内側面６７ａとで取付ピン４１が受けられると共に、そのストラップＳが取付ピン４１の被取付部４３を滑って第１線状部４５ａ側に移動し、第１線状部４５ａを後方へ押圧するようになる。このとき、第１線状部４５ａにかかる荷重は、図５に白抜き矢印で示す方向に作用し、裏側キャビネット１７の嵌め溝７５の内面７５ａでも受けられる。これにより、ストラップ取付部３７にかかる荷重がさらに分散されるから、ストラップ取付部３７に生じる応力をよりいっそう低減することができる。
【００４４】
したがって、この実施形態２に係る携帯電話機１によると、ストラップＳの引張り動作に対するストラップ取付部３７の耐久性を一段と向上させることができる。
【００４５】
《発明の実施形態３》
この実施形態３に係る携帯電話機１は、取付ピン４１の取付け姿勢が上記実施形態１と異なる。図６は、この実施形態３に係る携帯電話機１の要部側面図である。図７は、この実施形態３に係る携帯電話機１の要部断面図である。
【００４６】
上記実施形態１では、取付ピン４１を被取付部４３と第２線状部４５ｂとが携帯電話機１の左右方向に並ぶように設けた形態を説明したが、この実施形態３では、取付ピン４１は、図６及び図７に示すように、被取付部４３と第２線状部４５ｂとが携帯電話機１の上下方向に並ぶように設けられている。
【００４７】
第１のピン嵌入孔７１は、上記実施形態１と同様にホルダ部４７の前側壁５９に形成されている。他方、第２のピン嵌入孔７３は、ホルダ部４７の下側壁５７に形成されている。取付ピン４１は、被取付部４３の先端部を第１のピン嵌入孔７１に嵌め込み、補強部４５の第２線状部４５ｂを第２のピン嵌入孔７３に嵌め込むことで、ストラップ取付部３７に固定されている。
【００４８】
この実施形態３によっても、部品点数を増やすことなく、ストラップ取付部３７に所定の引張り強度を確保でき、ストラップＳの引張り動作に対するストラップ取付部３７の耐久性を向上させることができる。
【００４９】
《発明の実施形態４》
この実施形態４に係る携帯電話機１は、ストラップ取付部３７及び取付ピン４１の構成が上記実施形態１と異なる。図８は、この実施形態４に係る携帯電話機１のリヤカバー１９を取り外した状態での背面図とその要部拡大図である。図９は、図８のIX−IX線に相当する箇所における携帯電話機１の部分断面図である。
【００５０】
この実施形態４のキャビネット１２は、図８に示すように、上記実施形態１と同様に、表側キャビネット１５と裏側キャビネット１７とが、前側周壁部２５と裏側キャビネット１７のうち前側周壁部２５に対応する部分との間に環状の防水パッキン８１を挟み込んで組み合わせられた防水構造を有する。
【００５１】
裏側キャビネット１７のうちリヤカバー１９で覆われる部分、具体的には取付ピン４１の第１線状部４５ａに対応する部分には、ピン収容部７６を後方へ開放し、取付ピン４１を引出し可能な引出し口８３が形成されている。この引出し口８３は、取付ピン４１の第１線状部４５ａよりも若干だけ大きなサイズの長方形状の開口であり、防水パッキン８１の外側に形成されている。
【００５２】
本実施形態の取付ピン４１は、補強部４５に、第２線状部４５ｂの先端部、つまり第１線状部４５ａとの接続部分とは反対側の端部から被取付部４３とは反対側に突出した抜止め部４５ｃを有する。すなわち、取付ピン４１の補強部４５は、第１線状部４５ａ及び第２線状部４５ｂと、抜止め部４５ｃとで構成されている。
【００５３】
取付ピン４１の抜止め部４５ｃは、引出し口８３を通して取付ピン４１をピン収容部７６から引き出したときに、引出し口８３の周縁部に引っ掛かって取付ピン４１が完全に抜けることを防止するものである。第２のピン嵌入孔７３は、この抜止め部４５ｃに合わせて矩形状に形成されている。
【００５４】
そして、本実施形態のストラップ用凹部３９は、その開口を境として、前側が表側キャビネット１５で、後側が裏側キャビネット１７及びリヤカバー１９でそれぞれ構成されている。これによって、筐体３にストラップ用凹部３９を形成するのにアンダーカット形状をなくすことができ、表側キャビネット１５、裏側キャビネット１７及びリヤカバー１９の成形金型にスライド型を設けなくて済む。
【００５５】
裏側キャビネット１７のうち引出し口８３の周辺部分、具体的には取付ピン４１の第１線状部４５ａが配置される部分の上下両側には、前方に凹んだ略半円状の引出し用凹部８４がそれぞれ設けられている。そのことで、取付ピン４１の第１線状部４５ａを上下両側から摘まんだり当該第１線状部４５ａの前側に爪やピック等を通したりして、取付ピン４１を引出し口８３から引き出しやすくなっている。なお、引出し用凹部８４は、矩形状などのその他の形状であってもよい。
【００５６】
また、リヤカバー１９のうち引出し口８３に対応する部分には、前方へ突出した押え凸部８５が設けられている。この押え凸部８５は、リヤカバー１９が裏側キャビネット１７に取り付けられると、引出し口８３内に進入して取付ピン４１の第１線状部４５ａに後方から当接することで、取付ピン４１のガタつきを防止するようになっている。
【００５７】
図１０は、この実施形態４に係る携帯電話機１でのストラップＳを取付ける際の様子を示す断面図である。本実施形態の携帯電話機１にストラップＳを取り付ける場合には、図１０に示すように、まず、リヤカバー１９を取り外し、外部に露出した引出し口８３を通して取付ピン４１をピックや爪で引き出す。そうすると、取付ピン４１の被取付部４３の先端部とストラップ用凹部３９の前側壁５９との間にストラップＳを挿通させることが可能な隙間が形成される。
【００５８】
次いで、取付ピン４１の被取付部４３の先端部とストラップ用凹部３９の前側壁５９との間の隙間を通してストラップＳをストラップ用凹部３９の奥側に差し入れた後に、取付ピン４１を引出し状態からピン収容部７６に戻し入れることで、取付ピン４１の被取付部４３にストラップＳを引っ掛ける。しかる後、リヤカバー１９を裏側キャビネット１７に取り付ける。このようにして、携帯電話機１のストラップ取付部３７にストラップＳを簡単に取り付けることができる。
【００５９】
この実施形態４に係る携帯電話機１によると、ストラップ用凹部３９にストラップＳを巻き掛けるべく２重にして挿入する必要がないので、ストラップ用凹部３９の開口面積を小さくすることができる。そして、引出し口８３を防水パッキン８１の外側に形成するようにしたので、引出し口８３から進入する水分に対しても有効な防水仕様の携帯電話機１を実現することができる。
【００６０】
《発明の実施形態５》
この実施形態５に係る携帯電話機１は、ストラップ取付部３７及び取付ピン４１の構成が上記実施形態１と異なる。図１１は、この実施形態５に係る携帯電話機１の表側キャビネット１５のホルダ部４７背面を右上側から示す斜視図である。図１２は、この実施形態５に係る携帯電話機１の表側キャビネット１５のホルダ部４７背面を左下側から示す斜視図である。図１３は、この実施形態５に係る携帯電話機１のリヤカバー１９を取り外した状態での要部斜視図である。図１４は、この実施形態５に係る携帯電話機１のリヤカバー１９を取り外した状態での要部背面図である。
【００６１】
この実施形態５の取付ピン４１は、図１１及び図１２に示すように、上記実施形態４と同様な構成を有し、補強部４５の第２線状部４５ｂを回転軸として回転自在にホルダ部４７に取り付けられている。本実施形態のホルダ部４７は、図１１及び図１２に示すように、奥側に向かって下方へ湾曲するように延び且つ右上に円弧をなす扇状の内部空間を有する形態に構成されている。
【００６２】
具体的には、ホルダ部４７は、挿入口５１を有し且つ当該ホルダ部４７の外構えを構成する間口壁９３と、この間口壁９３の上端からホルダ部４７の奥側に向かって下方に湾曲するように延びる壁面を有する湾曲壁９４と、この湾曲壁９４の下端から間口壁９３の下端側とを繋ぐ下側壁９５と、これら間口壁９３、湾曲壁９４及び下側壁９５の前端を繋いでこれら各壁９３，９４，９５で囲まれた部分の前側を塞ぐ前側壁９６とで構成されていて、内部が後方に開放された構造を有する。挿入口５１は、間口壁９３の上側寄りに形成されている。
【００６３】
ホルダ部４７の前側壁９６のうち湾曲壁９４沿いの部分と間口壁９３沿いの部分を除く部分には、前側に凹んだ凹陥部８７が設けられている。この凹陥部８７の挿入口５１側の突き当たりの壁部は、取付ピン４１の被取付部４３を挿入口５１側で受ける荷重受け面である当接面８７ａを構成している。また、この凹陥部８７の湾曲壁９４に沿った側壁面は、取付ピン４１を回転させる際に被取付部４３を案内するガイド面８７ｂを構成している。
【００６４】
このホルダ部４７のうち挿入口５１の直ぐ下側には、ホルダ部４７の前側壁９６から後方へ突出するピン支持部８８が設けられている。このピン支持部８８は、凹陥部８７の底面から後方に延び、間口壁９３のうち挿入口５１の下側縁部と一体に設けられている。このピン支持部８８の後端面は、平坦面に形成されており、取付ピン４１の第１線状部４５ａのうち第２線状部４５ｂ寄りの部分を、取付ピン４１の回転動作に伴い摺動可能に支持する。
【００６５】
ホルダ部４７のうちこのピン支持部８８の下側であって間口壁９３と下側壁９５との接続部分には、左下側に円弧面をなす背面視で扇状のピン挿入部９７が形成されている。取付ピン４１は、このピン挿入部９７に第２線状部４５ｂ及び抜止め部４５ｃを挿入し、ピン支持部８８に第１線状部４５ａを支持させることで、ピン支持部８８を上下方向に跨ぎ、被取付部４３をピン支持部８８の上側で挿入口５１、つまりストラップ用凹部３９の開口に対応させてホルダ部４７に設けられている。
【００６６】
このようにホルダ部４７に取り付けられた取付ピン４１は、被取付部４３を凹陥部８７の当接面８７ａに当接させた状態で、第１線状部４５ａが間口壁９３のうち挿入口５１よりも後側の梁状部分９３ａに当接する。この梁状部分９３ａのホルダ部４７内方に臨む側面は、取付ピン４１の第１線状部４５ａを挿入口５１側で受ける荷重受け面９３ｂを構成している。すなわち、本実施形態のホルダ部４７における荷重受け面８７ａ，９３ｂは、凹陥部８７の当接面８７ａと間口壁９３の梁状部分９３ａの側面９３ｂとである。
【００６７】
裏側キャビネット１７のうちホルダ部４７の内部を後方へ開放する後側開口９８に対応する部分には、図１３及び図１４に示すように、この後側開口９８よりも一回り小さなサイズの引出し口８３が右上側に円弧をなす扇状に形成されている。この引出し口８３は、ホルダ部４７のうちピン支持部８８の下側の部分とそれより右側の部分との全体を裏側キャビネット１７から後方に露出させるように形成されている。そのことで、取付ピン４１は、図１４に二点鎖線で示すホルダ部４７の奥側の位置に回転移動させると、第１線状部４５ａの全体が引出し口８３から露出し、後方へ引き出せるようになっている。
【００６８】
また、裏側キャビネット１７のうち引出し口８３と切欠部７７との間には、取付ピン４１の第１線状部４５ａの一部、具体的にはピン支持部８８よりも上側に位置する部分を後方から表側キャビネット１５側に部分的に押さえる押え片８９が設けられている。これにより、取付ピン４１は、図１４に実線及び破線で示す挿入口５１の手前位置にあるときは、引出し口８３から引き出せないようになっている。
【００６９】
さらに、裏側キャビネット１７のうちピン挿入部９７に対応する部分には、当該ピン挿入部９７の円弧面よりも内側に張り出す係止部９１が設けられている。取付ピン４１の抜止め部４５ｃは、当該取付ピン４１をホルダ部４７の奥側位置で引出し口８３から引き出すときに、この係止部９１に引っ掛かって、取付ピン４１が完全に抜けることが防止する。本実施形態のピン収容部７６は、表側キャビネット１５のホルダ部４７と、裏側キャビネット１７のうちホルダ部４７に対応する押え片８９及び係止部９１を含む部分とで構成されている。
【００７０】
本実施形態の携帯電話機１にストラップＳを取り付ける場合には、まず、リヤカバー１９を取り外し、外部に露出した引出し口８３を通して取付ピン４１をピックや爪でホルダ部４７の奥側に回転移動させ、引出し口８３から引き出す。そうすると、取付ピン４１の被取付部４３の先端部と凹陥部８７の底面との間にストラップＳを挿通させることが可能な隙間が形成される。
【００７１】
次いで、取付ピン４１の被取付部４３の先端部と凹陥部８７の底面との間の隙間にストラップＳを通した後、取付ピン４１を引出し状態からピン収容部７６に戻し入れることで、取付ピン４１の被取付部４３にストラップＳを引っ掛ける。続いて、取付ピン４１をホルダ部４７の挿入口５１手前まで回転移動させ、被取付部４３を凹陥部８７の当接面８７ａに当接させる。しかる後、リヤカバー１９を裏側キャビネット１７に取り付ける。このようにして、携帯電話機１のストラップ取付部３７にストラップＳを取り付けることができる。
【００７２】
この実施形態５に係る携帯電話機１によっても、ストラップ用凹部３９にストラップＳを巻き掛けるべく２重にして挿入する必要がないので、ストラップ用凹部３９の開口面積を小さくすることができる。
【００７３】
なお、上記実施形態１〜５では、防水部材として防水パッキン８１を使用した防水仕様の携帯電話機１を例に挙げて説明したが、これに限らず、防水パッキン８１に代えて、両面テープやシリコン等からなるゲルなどの他の防水部材が採用されていてもよく、また、携帯電話機１は、これらの防水部材を備えない非防水仕様のものであっても構わない。
【００７４】
また、上記実施形態１〜５では、ストラップ用凹部３９が筐体３の側面に開口している形態を例に挙げて説明したが、これに限らず、ストラップ用凹部３９は、筐体３の上面や下面、背面等の側面以外の筐体３表面に開口していてもよい。すなわち、ストラップ取付部３７は、携帯電話機１の上端部分や下端部分、背面部分などの他の部分に設けられていても構わない。
【００７５】
また、上記実施形態１〜５では、本発明に係る携帯機器について、携帯電話機１を例に挙げて説明したが、これに限らず、ＰＨＳ（Personal Handy-phone System）やＰＤＡ（Personal Digital Assistant）、モバイルツール、電子辞書、電卓、ゲーム機などの他の携帯機器にも適用することが可能である。
【００７６】
以上、本発明の好ましい実施形態について説明したが、本発明の技術的範囲は上記各実施形態に記載の範囲に限定されない。上記各実施形態が例示であり、それらの各構成要素の組合せに、さらに色々な変形例が可能なこと、またそうした変形例も本発明の範囲に属することは当業者に理解されるところである。
【符号の説明】
【００７７】
Ｓ…ストラップ、１…携帯電話機、３…筐体、５…カメラユニット、７…カードコネクタ、９…電池パック、１１…回路基板、１２…キャビネット、１３…表示パネル、１５…表側キャビネット、１７…裏側キャビネット、１９…リヤカバー、２１…フレーム部、２３…金属板、２５…前側周壁部、２７…後側周壁部、２９…ビス、３１…取付ボス、３３…挿通孔、３７…ストラップ取付部、３９…ストラップ用凹部、４１…取付ピン、４３…被取付部、４５…補強部、４５ａ…第１線状部、４５ｂ…第２線状部、４５ｃ…抜止め部、４７…ホルダ部、５１…挿入口、５３…奥側壁、５５…上側壁、５７…下側壁、５９…前側壁、６１…後側壁、６３…後側開口、６５…梁状部分、６７…切欠部、６７ａ…荷重受け面、６９…受け溝、７１…第１のピン嵌入孔、７１ａ…荷重受け面、７３…第２のピン嵌入孔、７３ａ…荷重受け面、７５…嵌め溝、７５ａ…荷重受け面、７６…ピン収容部、７７…切欠部、７９…挿通孔、８１…防水パッキン（防水部材）、８３…引出し口、８５…押え凸部、８７…凹陥部、８８…ピン支持部、８９…押え片、９１…係止部、９３…間口壁、９４…湾曲壁、９５…下側壁、９６…前側壁、９７…ピン挿入部、９８…後側開口
【図１】
2016076810.tif 000003
【図２】
2016076810.tif 000004
【図３】
2016076810.tif 000005
【図４】
2016076810.tif 000006
【図５】
2016076810.tif 000007
【図６】
2016076810.tif 000008
【図７】
2016076810.tif 000009
【図８】
2016076810.tif 000010
【図９】
2016076810.tif 000011
【図１０】
2016076810.tif 000012
【図１１】
2016076810.tif 000013
【図１２】
2016076810.tif 000014
【図１３】
2016076810.tif 000015
【図１４】
2016076810.tif 000016